(57)【要約】  指紋を検出する装置であって、指載せ台を形成する透明な最上層（８）を有し、この最上層と発光層（９）との間にマトリックス配置の感光素子の層（１）が設けられ、感光素子に評価回路（７）が接続されているものが記載される。有利な構造条件を与えるため、感光素子の層（１）が、互いに交差する導体条片（５，６）から成る２つの透明な電極薄膜（３，４）の間に、有機半導体に基く透明な光活性薄膜（２）を持っていることを提案する。【選択図】図１
2008512803.tif 000002
【特許請求の範囲】
【請求項１】
指紋を検出する装置であって、指載せ台を形成する透明な最上層を有し、この最上層と発光層との間にマトリックス配置の感光素子が設けられ、感光素子に評価回路が接続されているものにおいて、感光素子の層（１）が、互いに交差する導体条片（５，６）から成る２つの透明な電極薄膜（３，４）の間に、有機半導体に基く透明な光活性薄膜（２）を持っていることを特徴とする、装置。
【請求項２】
発光層（９）がそれぞれ単独に起動可能な個々の範囲に区分されていることを特徴とする、請求項１に記載の装置。
【請求項３】
発光層（９）が、互いに交差する導体条片から成る２つの電極薄膜の間に、有機半導体に基く光活性薄膜を持ち、これらの電極薄膜のうち光活性薄膜と感光素子の層（１）との間にある電極薄膜が少なくとも部分的に透明である、請求項２に記載の装置。
【請求項４】
感光素子の層（１）の光活性薄膜及び発光層（９）の光活性薄膜が、その間に共通な電極薄膜を持っていることを特徴とする、請求項３に記載の装置。
【請求項５】
感光素子の層（１）の光活性薄膜（２）が制御装置を介して、発光層（９）の起動に時間的に関係して起動可能であることを特徴とする、請求項１〜４の１つに記載の装置。
【発明の詳細な説明】
【技術分野】
【０００１】  本発明は、指紋を検出する装置であって、指載せ台を形成する透明な最上層を有し、この最上層と発光層との間にマトリックス配置の感光素子が設けられ、感光素子に評価回路が接続されているものに関する。
【背景技術】
【０００２】  指紋をまずレンズ装置により光学的に写像することなく、指紋をディジタルに検出できるようにするため、感光素子なるべくフォトダイオード又はフォトトランジスタを、薄膜技術で透明なガラス又は石英製担体上に設け、例えばエレクトロルミネセンスダイオードから成る発光層で覆うことが公知である（国際公開第９７／０３６５４４号）。感光素子はマトリックで列をなして設けられ、素子列は透明な間隙により互いに分離されているので、発光層から光を、透明な担体を通して、指紋を検出するため指載せ台として役立つ担体に当てられる指へ投写することができる。皮膚の隆線稜と凹所とで異なる反射を行う光は、感光素子により検出され、反射される光の強さに関係する感光素子の電気信号が、指紋のディジタル写像を形成するため評価装置へ伝送される。指紋を検出するこの公知の装置の欠点は、とりわけ無機半導体に基く感光素子の使用により生じる構造費であり、更にこれに加えて、検出すべき指紋の照明が、感光素子の間の比較的狭い間隙を通してしか行われないことである。
【発明の開示】
【発明が解決しようとする課題】
【０００３】  従って本発明の基礎になっている課題は、簡単な構造的手段で指紋のディジタル写像を得ることができる、最初にあげた種類の指紋を検出する装置を構成することである。
【課題を解決するための手段】
【０００４】  本発明は、感光素子の層が、互いに交差する導体条片から成る２つの透明な電極薄膜の間に、有機半導体に基く透明な光活性薄膜を持っていることによって、与えられた課題を解決する。【０００５】  有機半導体に基く光活性薄膜により感光素子を形成することによって、この光活性薄膜自体を透明に形成することができ、それにより、そうしない場合透明な無機半導体により生じる指紋の照明に関する制限が、指載せ台から遠い方にある感光素子の側にある発光層によりなくされる。更に従来の溶媒における有機半導体材料の可溶性と無機半導体に比較して電荷の小さい可動性に基く比較的少ない製造費が生じるので、個々の感光範囲を互いに区画する特別な手段は必要でない。なぜならば、電荷移動は大体において導体条片の交差範囲に限定され、光活性薄膜内における導体条片の隣接する交差範囲の間の電荷運動の影響は一般に無視できるからである。種々の有機半導体を使用できるが、光活性薄膜に対してなるべく２つの分子成分が使用され、即ち電子供与体としての共役重合体成分及び電子受容体としてのフラーレン成分が使用される。【０００６】  発光層がそれぞれ単独に起動可能な個々の範囲に区分されると、まず発光に必要な励起エネルギを低く保つことができる。なぜならば、指紋は順次に続く時間間隔で部分的にのみ照明されるからである。指紋の部分的な照明は、更に指紋から反射される光のみを検出でき、発生される光を検出できないからである。この目的のため、発光される光を通される光活性薄膜の範囲ではなく、反射される力のみを当てられる隣接範囲が、評価のため読取られる。発生される光を通される範囲及び反射する光を当てられる範囲の電気信号が評価されると、発生される光による光活性薄膜の基本負荷が考慮されて、測定される相違に対するこの基本負荷に基いて指紋を検出する。【０００７】  発光層は、薄膜技術におけるエレクトロルミネセンスダイオードから構成することができる。しかし発光層が、互いに交差する導体条片から成る２つの電極薄膜の間に、有機半導体に基く光活性薄膜を持ち、これらの電極薄膜のうち光活性薄膜と感光素子の層との間にある電極薄膜が少なくとも部分的に透明であると、特に有利な構造条件が生じる。この場合発光層の構成及び起動に関して、感光素子の層におけるのと同じような利点が生じる。【０００８】  感光層及び発光層のためにそれぞれ１つの光活性薄膜を使用すると、両方の光活性薄膜の互いに向き合う側の電極薄膜を絶縁薄膜により互いに分離することができる。しかし感光層の光活性薄膜及び発光層の光活性薄膜のために、両方の光活性薄膜の間に平行な導体条片から成る共通な電極薄膜を設けることも可能であり、それにより構造が簡単化される。【０００９】  感光素子の層の光活性薄膜が、制御装置を介して、発光層の起動に時間的に関係して起動されると、光活性薄膜の個々の感光素子範囲の励起状態の読取りと発光層の起動との時間的関係を、通過光ではなく指紋で反射される光が評価されるように選ぶ時に、指紋を検出するため感光素子による通過光の検出も同様に抑制することができる。【００１０】  図面には本発明の実施例が示されている。
【発明を実施するための最良の形態】
【００１１】  図示した実施例によれば、指紋を検出する装置は、例えば２つの分子の有機成分即ち電子供与体としての共役重合体成分および電子受容体としてのフラーレン成分から成る透明な光活性薄膜２の形の感光素子の層１を持っている。この光活性薄膜は、互いに交差する導体条片５，６から成る電極薄膜の間に設けられ、これらの導体条片は、図２に示すように評価装置７に接続されている。正孔集合陰極として作用する電極薄膜３の導体条片５は、有利にインジゥム−錫酸化物（ＩＴＯ）から成り、電子集合電極として電極薄膜４は、アルミニウムから成る導体条片を持っている。これらの電極薄膜３及び４と光活性薄膜２との間に、正孔又は電子の移動を改善するための付加的な重合体薄膜を設けることができる。電極薄膜３，４を持つ光活性薄膜２は、同時に指載せ台を形成する透明な最上層８上に被覆される。最上層８から遠い方にある感光素子の層１の側には、例えば有機発光ダイオード又はエレクトロルミネセンスダイオードから成る発光層９が設けられている。【００１２】  図１に鎖線で示す指紋１０の細溝状凹所により互いに分離される隆線稜を検出するため、発光層９が励起される。発生される光は、感光素子の透明な層１及び最上層８を通り、最上層８に接する指の指紋１０で反射されて、感光素子の層１へ当たる。光活性薄膜２において導体条片５と６の交差範囲により決定される感光素子が、例えば全面照明の場合のように、指紋１０を照らす光と指紋１０で反射される光を当てられるように、配置が行われると、電気信号の評価の際、発光により与えられる感光素子の基本負荷が考慮されるので、この基本負荷に対して生じる電気信号の相違のみを、指紋１０の検出に利用することができる。反射される光による感光素子への作用のみを、指紋１０の検出のために評価する場合、２つの可能性が開かれている。即ち反射される光を感光素子を介して続く範囲で検出するため、順次に続く時間間隔で指紋１０を部分的にのみ照らすか、又は光の発生と反射される光の受光を時間的にずらして、感光素子が発光の終了後反射される光の受光中に読取られるようにすることができる。発光層９の部分的な起動のため、層９が適当に構成されかつ起動され、その際層９は、感光素子の層１と同じように、互いに交差する導体条片から成る２つの電極薄膜の間の有機半導体に基く光活性薄膜を持つことができ、個々に起動可能な発光素子が導体条片の交差範囲に生じる。従って導体条片を介して、個々の発光素子を選択して、光線を放射するための電気エネルギを供給することができる。その場合発光素子の選択に応じて、指紋１０を検出するため、層１の個々の感光素子を評価回路７へ読込むことができる。
【図面の簡単な説明】
【００１３】
【図１】  指紋を検出する装置を概略断面図で示す。
【図２】  図１による装置を一部切開いた概略平面図で示す。
【図１】
2008512803.tif 000003
【図２】
2008512803.tif 000004
【国際調査報告】
2008512803.tif 000005
2008512803.tif 000006
2008512803.tif 000007
2008512803.tif 000008
2008512803.tif 000009
2008512803.tif 000010